(57)【特許請求の範囲】
【請求項１】
光ディスクに光照射して反射した反射光量と、ディスクタイプ毎に設定された反射光量の許容幅から所要間隔をおいて設定された閾値とを比較して、ディスクタイプを判定する光ディスク判定手段を備え、前記光ディスク判定手段で判定されたディスクタイプをデータアクセスする光ディスク再生装置であって、
前記光ディスク判定手段で判定されたディスクタイプに従ってデータアクセスさせた光ディスクがデータアクセスエラーした際に、他のディスクタイプに従ってデータアクセスを試みる再トライ手段を有し、
前記光ディスク判定手段は、
前記再トライ手段で他のディスクタイプに従ってデータアクセスを試みた結果、正常にデータアクセスされた場合に、誤判定となった際の反射光量に基づいて正常にデータアクセスされた側のディスクタイプを判定する許容幅を補正する許容幅補正手段と、
前記許容幅補正手段で補正された新たな許容幅と、前記閾値を挟んで対峙する異なるディスクタイプの許容幅とに基づいて、前記閾値を補正する閾値補正手段とを有し、
前記ディスクタイプは、高反射率タイプと低反射率タイプの何れかであり、
前記許容幅補正手段は、低反射率タイプとの誤判定となった場合は、低反射率タイプとの誤判定となった際の反射光量を、正常にデータアクセスされた側のディスクタイプである高反射率タイプの新たな許容幅下限値として補正すると共に、その補正値分、前記高反射率タイプの許容幅上限値と、誤判定側のディスクタイプである前記低反射率タイプの許容幅自体とを下方へ補正し、
前記閾値補正手段は、前記高反射率タイプの許容幅の新たな許容幅下限値と、下方へ補正した低反射率タイプの許容幅上限値との中間値を新たな閾値として補正する
ことを特徴とする光ディスク再生装置。
【請求項２】
前記ディスクタイプは、高反射率タイプと低反射率タイプの何れかであり、
前記許容幅補正手段は、高反射率タイプとの誤判定となった際の反射光量を、低反射率タイプの新たな許容幅上限値として補正すると共に、その補正値分、前記低反射率タイプの許容幅下限値と、前記高反射率タイプの許容幅自体とを上方へ補正し、
前記閾値補正手段は、前記低反射率タイプの許容幅の新たな許容幅上限値と、上方へ補正した高反射率タイプの許容幅下限値との中間値を新たな閾値として補正すること
を特徴とする請求項１に記載の光ディスク再生装置。
【請求項３】
光ディスクに光照射して反射した反射光量と、ディスクタイプ毎に設定された反射光量の許容幅から所要間隔をおいて設定された閾値とを比較して、ディスクタイプを判定する光ディスク判定工程を備え、前記光ディスク判定工程で判定されたディスクタイプをデータアクセスする光ディスク再生方法であって、
前記光ディスク判定工程で判定されたディスクタイプに従ってデータアクセスさせた光ディスクがデータアクセスエラーした際に、他のディスクタイプに従ってデータアクセスを試みる再トライ工程を有し、
前記光ディスク判定工程は、
前記再トライ工程で他のディスクタイプに従ってデータアクセスを試みた結果、正常にデータアクセスされた場合に、誤判定となった際の反射光量に基づいて正常にデータアクセスされた側のディスクタイプを判定する許容幅を補正する許容幅補正工程と、
前記許容幅補正工程で補正された新たな許容幅と、前記閾値を挟んで対峙する異なるディスクタイプの許容幅とに基づいて、前記閾値を補正する閾値補正工程とを有し、
前記ディスクタイプは、高反射率タイプと低反射率タイプの何れかであり、
前記許容幅補正工程は、低反射率タイプとの誤判定となった場合は、低反射率タイプとの誤判定となった際の反射光量を、正常にデータアクセスされた側のディスクタイプである高反射率タイプの新たな許容幅下限値として補正すると共に、その補正値分、前記高反射率タイプの許容幅上限値と、誤判定側のディスクタイプである前記低反射率タイプの許容幅自体とを下方へ補正し、
前記閾値補正工程は、前記高反射率タイプの許容幅の新たな許容幅下限値と、下方へ補正した低反射率タイプの許容幅上限値との中間値を新たな閾値として補正する
ことを特徴とする光ディスク再生方法。
【請求項４】
前記ディスクタイプは、高反射率タイプと低反射率タイプの何れかであり、
前記許容幅補正工程は、高反射率タイプとの誤判定となった際の反射光量を、低反射率タイプの新たな許容幅上限値として補正すると共に、その補正値分、前記低反射率タイプの許容幅下限値と、前記高反射率タイプの許容幅自体とを上方へ補正し、
前記閾値補正工程は、前記低反射率タイプの許容幅の新たな許容幅上限値と、上方へ補正した高反射率タイプの許容幅下限値との中間値を新たな閾値として補正すること
を特徴とする請求項３に記載の光ディスク再生方法。
【発明の詳細な説明】
【技術分野】
【０００１】
本発明は、光ディスクに光照射して反射した反射光量と閾値とを比較して、ディスクタイプを判定する光ディスク判定手段を備え、その光ディスク判定手段で判定されたディスクタイプをデータアクセスする光ディスク再生装置と、及び光ディスク再生方法に関する。
【背景技術】
【０００２】
光ディスク装置は、まず、光ディスクのディスクタイプを判別し、その判別結果に基づいてデータのアクセスを行っているが、この光ディスクのディスクタイプを判別するのに、従来、様々な光ディスク装置が提案されている。
【０００３】
例えば、光ディスクの種類を判別するための反射光量の閾値を、ＣＤ−ＲＯＭやＣＤ−Ｒといった高反射率の光ディスクからの反射光量の測定値と、ＣＤ−ＲＷといった低反射率の光ディスクからの反射光量の測定値とに基づいて算出し、その閾値に更新していくことにより、光ディスク装置に装填された光ディスクが、どの種類の光ディスクであるかを短時間でかつ確実に判別する、とした光ディスク装置（光ディスク判別方法）がある（例えば特許文献１参照）。
【０００４】
また、他の例として、光ディスクの情報記録面で反射される光度を測定する光度検出回路と、光度の閾値を記憶する記憶手段と、ディスク判定処理において光度検出回路から測定された光度と記憶手段に記憶される閾値と比較することにより情報記録面の反射率が異なる光ディスクの判別を行う制御回路とを備えた光ディスク判別装置であって、記憶手段は係数を記憶し、制御手段は閾値登録処理において光度検出回路が検出した光度に記憶手段に記憶される係数を乗じた値を前記閾値として記憶手段に記憶させることにより、装置によるばらつきが少ない精度が高いディスク判定を行うことができる、とした光ディスク判別装置がある（例えば特許文献２参照）。
【０００５】
さらに、この上記した光ディスク判定装置の判定以外の判定について説明すると、従来の光ディスク判定装置は、夫々のディスクタイプ毎に設定された許容幅内に検出した反射光値が収まることを前提にしてディスクタイプを判定するように構成されている。
【０００６】
すなわち、再生装置側のピックアップ精度や、メディア側の製品誤差などによって、同一タイプの光ディスクでも僅かに反射光量の違いが生じており、再生装置側に、ある程度予想される誤差分を許容幅として設定しておき、その許容幅内に収まった反射光値に応じてディスクタイプを判定している。
【０００７】
ところで、再生装置側のピックアップ精度（例えば出力レベルが低いピックアップ）や、メディア側の製品誤差（例えば高反射率タイプの光ディスクの反射量が異常に低い）等によって、誤ったディスクタイプの判定がされる場合がある。
【０００８】
この場合、装置側は誤った判定か否かは認識していないため、判定結果は正しいものとして、次行程であるディスクタイプに基づくデータのアクセス処理を行っている。
しかしながら、当然のことながら、ディスクタイプの判定に誤りがあるため、データのアクセス処理ができず、その結果、エラー処理（光ディスク再生装置の表示部などに「メディアに異常があります」などの報知を行っている。
【０００９】
【特許文献１】特開２００１−３０７４１６号公報（第３頁、図１）
【特許文献２】特開２００３−１４１７２２号公報（第３頁、図１）
【発明の開示】
【発明が解決しようとする課題】
【００１０】
この上記した先行の光ディスク装置や光ディスク判別装置は、閾値を適宜更新することによりディスクタイプの判別精度を高めるものとして好適なものと思料するが、しかしながら、ディスクタイプの判定に誤りがあった場合における対処まで想定していない。
【００１１】
また、ディスクタイプの判定に誤りがあった場合、従来は、データのアクセス処理ができず、その結果、エラー処理を行ってしまうと、正常なディスクタイプに基づいてデータのアクセスを行えば、何ら問題のないメディアに対しても、データのアクセスができなくなってしまい甚だ不都合でもあった。
【００１２】
そこで本発明は、このような状況に鑑みてなされたものであり、上記問題点を解決できる光ディスク再生装置及び光ディスク再生方法を提供することを目的とする。
【課題を解決するための手段】
【００１３】
上記技術課題を達成するために、本発明にかかる光ディスク再生装置及び光ディスク再生方法は、下記の技術的手段を講じた。
すなわち、請求項１にかかる光ディスク再生装置は、光ディスクに光照射して反射した反射光量と、ディスクタイプ毎に設定された反射光量の許容幅から所要間隔をおいて設定された閾値とを比較して、ディスクタイプを判定する光ディスク判定手段を備え、前記光ディスク判定手段で判定されたディスクタイプをデータアクセスする光ディスク再生装置であって、前記光ディスク判定手段で判定されたディスクタイプに従ってデータアクセスさせた光ディスクがデータアクセスエラーした際に、他のディスクタイプに従ってデータアクセスを試みる再トライ手段を有し、前記光ディスク判定手段は、前記再トライ手段で他のディスクタイプに従ってデータアクセスを試みた結果、正常にデータアクセスされた場合に、誤判定となった際の反射光量に基づいて正常にデータアクセスされた側のディスクタイプを判定する許容幅を補正する許容幅補正手段と、前記許容幅補正手段で補正された新たな許容幅と、前記閾値を挟んで対峙する異なるディスクタイプの許容幅とに基づいて、前記閾値を補正する閾値補正手段とを有し、前記ディスクタイプは、高反射率タイプと低反射率タイプの何れかであり、前記許容幅補正手段は、低反射率タイプとの誤判定となった場合は、低反射率タイプとの誤判定となった際の反射光量を、正常にデータアクセスされた側のディスクタイプである高反射率タイプの新たな許容幅下限値として補正すると共に、その補正値分、前記高反射率タイプの許容幅上限値と、誤判定側のディスクタイプである前記低反射率タイプの許容幅自体とを下方へ補正し、前記閾値補正手段は、前記高反射率タイプの許容幅の新たな許容幅下限値と、下方へ補正した低反射率タイプの許容幅上限値との中間値を新たな閾値として補正することを特徴とする。
請求項２にかかる光ディスク再生装置は、請求項１において、前記ディスクタイプは、高反射率タイプと低反射率タイプの何れかであり、前記許容幅補正手段は、高反射率タイプとの誤判定となった際の反射光量を、低反射率タイプの新たな許容幅上限値として補正すると共に、その補正値分、前記低反射率タイプの許容幅下限値と、前記高反射率タイプの許容幅自体とを上方へ補正し、前記閾値補正手段は、前記低反射率タイプの許容幅の新たな許容幅上限値と、上方へ補正した高反射率タイプの許容幅下限値との中間値を新たな閾値として補正することを特徴とする。
請求項３にかかる光ディスク再生方法は、光ディスクに光照射して反射した反射光量と、ディスクタイプ毎に設定された反射光量の許容幅から所要間隔をおいて設定された閾値とを比較して、ディスクタイプを判定する光ディスク判定工程を備え、前記光ディスク判定工程で判定されたディスクタイプをデータアクセスする光ディスク再生方法であって、前記光ディスク判定工程で判定されたディスクタイプに従ってデータアクセスさせた光ディスクがデータアクセスエラーした際に、他のディスクタイプに従ってデータアクセスを試みる再トライ工程を有し、前記光ディスク判定工程は、前記再トライ工程で他のディスクタイプに従ってデータアクセスを試みた結果、正常にデータアクセスされた場合に、誤判定となった際の反射光量に基づいて正常にデータアクセスされた側のディスクタイプを判定する許容幅を補正する許容幅補正工程と、前記許容幅補正工程で補正された新たな許容幅と、前記閾値を挟んで対峙する異なるディスクタイプの許容幅とに基づいて、前記閾値を補正する閾値補正工程とを有し、前記ディスクタイプは、高反射率タイプと低反射率タイプの何れかであり、前記許容幅補正工程は、低反射率タイプとの誤判定となった場合は、低反射率タイプとの誤判定となった際の反射光量を、正常にデータアクセスされた側のディスクタイプである高反射率タイプの新たな許容幅下限値として補正すると共に、その補正値分、前記高反射率タイプの許容幅上限値と、誤判定側のディスクタイプである前記低反射率タイプの許容幅自体とを下方へ補正し、前記閾値補正工程は、前記高反射率タイプの許容幅の新たな許容幅下限値と、下方へ補正した低反射率タイプの許容幅上限値との中間値を新たな閾値として補正することを特徴とする。
請求項４にかかる光ディスク再生方法は、請求項３において、前記ディスクタイプは、高反射率タイプと低反射率タイプの何れかであり、前記許容幅補正工程は、高反射率タイプとの誤判定となった際の反射光量を、低反射率タイプの新たな許容幅上限値として補正すると共に、その補正値分、前記低反射率タイプの許容幅下限値と、前記高反射率タイプの許容幅自体とを上方へ補正し、前記閾値補正工程は、前記低反射率タイプの許容幅の新たな許容幅上限値と、上方へ補正した高反射率タイプの許容幅下限値との中間値を新たな閾値として補正することを特徴とする。
【発明の効果】
【００１４】
本発明によれば、光ディスク判定手段で判定されたディスクタイプに従ってデータアクセスさせた光ディスクがデータアクセスエラーした際に、再トライ手段で他のディスクタイプに従ってデータアクセスを試み、その結果、正常にデータアクセスされた場合に、誤判定となった際の反射光量に基づいて正常にデータアクセスされた側のディスクタイプを判定する許容幅を許容幅補正手段で補正し、さらに、その補正された新たな許容幅と、閾値を挟んで対峙する異なるディスクタイプの許容幅とに基づいて、閾値補正手段が閾値を補正するから、仮に、ディスクタイプの判定に誤りがあっても、確実にデータアクセスができ、さらに、許容幅と閾値を適宜補正することにより、ディスクタイプの判定に誤りそうな反射光量が検出されても、短時間でかつ確実にデータアクセスができる。
【発明を実施するための最良の形態】
【００１５】
次に、本発明にかかる光ディスク再生装置の実施の形態を説明する。
（実施の形態１）
実施の形態１にかかる光ディスク再生装置は、光ディスク判定手段と、再トライ手段とを備えて構成されている。
【００１６】
光ディスク判定手段は、再生専用のＣＤ−ＲＯＭ（高反射率タイプ）や追記型のＣＤ−Ｒ（低反射率タイプ）等の光ディスクに光照射して反射した反射光量ＦＳＭＡＸと、ディスクタイプ毎に設定された反射光量の許容幅から所要間隔（グレーゾーン）をおいて設定された閾値ＤＪＧとを比較して、ディスクタイプを判定するようになっている。
そして実施の形態１にかかる光ディスク再生装置は、その判定されたディスクタイプに基づいてデータのアクセスをするようになっている。
【００１７】
この上記した許容幅とは、再生装置側のピックアップ精度や、メディア側の製品誤差などによって、同一タイプの光ディスクでも僅かに反射光量の違いが生じており、再生装置側に、ある程度予想される誤差分を初期値（初期状態）として設定されている。
【００１８】
また閾値ＤＪＧは、初期値（初期状態）として、ディスクタイプ毎に設定された反射光量の許容幅から所要間隔（グレーゾーン）をおいて設定されており、すなわち、図１に示すように、高反射率タイプの光ディスクにおける許容幅下限値ＨＭＩＮと、低反射率タイプの光ディスクにおける許容幅上限値ＬＭＡＸとの中間値を、閾値ＤＪＧの初期値（初期状態）として設定されている。
【００１９】
また、実施の形態１にかかる光ディスク再生装置は、上記したグレーゾーンに位置する反射光量ＦＳＭＡＸが検出された場合、閾値ＤＪＧを挟んで、そのグレーゾーン側のディスクタイプとして、判定するようになっている。
【００２０】
すなわち、高反射率タイプの光ディスクと確実に判定できる許容幅と、閾値ＤＪＧとの間に位置する反射光量ＦＳＭＡＸが検出された場合、高反射率タイプの光ディスクとして判定し、その逆に、低反射率タイプの光ディスクと確実に判定できる許容幅と、閾値ＤＪＧとの間に位置する反射光量ＦＳＭＡＸが検出された場合、低反射率タイプの光ディスクとして判定するようになっている。仮にその判定が誤判定であっても、後述する再トライ手段、許容幅補正手段と、閾値補正手段によって適宜補正される。
【００２１】
この光ディスク判定手段は、許容幅補正手段と、閾値補正手段とを備えて構成されている。
【００２２】
許容幅補正手段は、光ディスク判定手段で判定されたディスクタイプに従ってデータアクセスさせた光ディスクがデータアクセスエラーした際に、後述する再トライ手段がデータアクセスさせたディスクタイプと異なる他のディスクタイプに基づいてデータアクセスを試み、その結果、正常にデータアクセスされた場合、再トライ手段から送信されたデータアクセス成功の信号を受け取り、誤判定となった際の反射光量ＦＳＭＡＸに基づいて正常にデータアクセスされた側のディスクタイプを判定する許容幅を補正するようになっている。
【００２３】
すなわち、例えば、高反射率タイプの光ディスクであるにもかかわらず、その反射光量ＦＳＭＡＸが、低反射率タイプとの誤判定となった場合は、その反射光量ＦＳＭＡＸを高反射率タイプの新たな許容幅下限値ＨＭＩＮとして補正し（図１参照）、その逆に、低反射率タイプの光ディスクであるにもかかわらず、その反射光量ＦＳＭＡＸが、高反射率タイプとの誤判定となった場合は、その反射光量ＦＳＭＡＸを低反射率タイプの新たな許容幅上限値ＬＭＡＸとして補正するようになっている。
【００２４】
この許容幅補正手段によって補正された許容幅は、逐次メモリーに記録されて更新され、光ディスク再生装置に光ディスクが挿入される度に、または、光ディスクが挿入された状態で光ディスク再生装置のスイッチがＯＮになる度に、記録されたメモリー内の許容幅情報を読み出すようになっている。
【００２５】
閾値補正手段は、許容幅補正手段で補正された新たな許容幅と、閾値ＤＪＧを挟んで対峙する異なるディスクタイプの許容幅とに基づいて、閾値ＤＪＧを補正するようになっている。
【００２６】
すなわち、高反射率タイプの光ディスクであるにもかかわらず、低反射率タイプとの誤判定となった反射光量ＦＳＭＡＸの場合は、許容幅補正手段によって補正された新たな許容幅下限値ＨＭＩＮと、低反射率タイプの許容幅上限値ＬＭＡＸとの中間値を算出し、その中間値を新たな閾値ＤＪＧとして補正するようになっている（図１参照）。
【００２７】
同様に、低反射率タイプの光ディスクであるにもかかわらず、高反射率タイプとの誤判定となった反射光量ＦＳＭＡＸの場合は、許容幅補正手段によって補正された低反射率タイプの新たな許容幅上限値ＬＭＡＸと、高反射率タイプの許容幅下限値ＨＭＩＮとの中間値を算出し、その中間値を新たな閾値ＤＪＧとして補正するようになっている。
【００２８】
この閾値補正手段によって補正された閾値ＤＪＧは、逐次メモリーに記録されて更新され、光ディスク再生装置に光ディスクが挿入される度に、または、光ディスクが挿入された状態で光ディスク再生装置のスイッチがＯＮになる度に、記録されたメモリー内の閾値情報を読み出すようになっている。
【００２９】
再トライ手段は、光ディスク判定手段で判定されたディスクタイプに従ってデータアクセスさせた光ディスクがデータアクセスエラーした場合、他のディスクタイプに従ってデータアクセスを試みるようになっている。
【００３０】
すなわち、光ディスク判定手段による判定結果が、高反射率タイプの光ディスクであるにもかかわらず、低反射率タイプとの誤判定した場合、再度、高反射率タイプの光ディスクとしてデータアクセスを行い、その結果、データアクセスに成功した場合、そのデータアクセス成功の信号を、上記した光ディスク判定手段に送信するようになっている。
【００３１】
同様に、光ディスク判定手段による判定結果が、低反射率タイプの光ディスクであるにもかかわらず、高反射率タイプとの誤判定した場合、再度、低反射率タイプの光ディスクとしてデータアクセスを行い、その結果、データアクセスに成功した場合、そのデータアクセス成功の信号を、上記した光ディスク判定手段に送信するようになっている。
【００３２】
次に、以上のように構成された実施の形態１にかかる光ディスク再生装置の一連の処理手順を図２のフローチャートを用いて説明する。
【００３３】
まず、光ディスク判定手段は、検出された反射光量ＦＳＭＡＸと、ディスクタイプ毎に設定された反射光量の許容幅、グレーゾーン、閾値ＤＪＧとを比較して、ディスクタイプを判定する。
【００３４】
そして、光ディスク再生装置は、その判定されたディスクタイプに基づいてデータのアクセスをする。このとき、正常にデータアクセスができれば、一連の処理は終了するが、データアクセスに失敗した場合、以下に示す一連の処理を行う。
【００３５】
例えば、検出された反射光量ＦＳＭＡＸが、現在設定されている閾値ＤＪＧと、現在設定されている低反射率タイプの許容幅上限値ＬＭＡＸとの間（グレーゾーン）に位置し、低反射率タイプとしてデータアクセスを試みた結果、データアクセスができない場合、再トライ手段は、高反射率タイプのディスクタイプとしてデータアクセスを試みる（Ｓ１１，Ｓ１２）。
【００３６】
その結果、再トライ手段によっても、データアクセスに失敗した場合（Ｓ１３：ＮＯ）、何れのディスクタイプにも該当しない光ディスクであるか、または、データアクセスできない光ディスクであるため、光ディスク再生装置の表示部などに「メディアに異常があります」などのエラールーチン処理を行って一連の処理を終了する（Ｓ１４）。
【００３７】
再トライ手段によってデータアクセスに成功した場合（Ｓ１３：ＹＥＳ）、再トライ手段は、データアクセス成功の信号を、光ディスク判定手段に送信する。
【００３８】
データアクセス成功の信号を受け取った光ディスク判定手段は、許容幅補正手段で、その反射光量ＦＳＭＡＸを高反射率タイプの新たな許容幅下限値ＨＭＩＮとして補正・更新し、その内容をメモリーに記録する（Ｓ１５）。
【００３９】
そして、閾値補正手段で、新たな許容幅下限値ＨＭＩＮと、低反射率タイプの許容幅上限値ＬＭＡＸとの中間値を算出し、その中間値を新たな閾値ＤＪＧとして補正・更新し、その内容をメモリーに記録する（Ｓ１６）。
【００４０】
この一連の処理は、光ディスク再生装置に光ディスクが挿入される度に、または、光ディスクが挿入された状態で光ディスク再生装置のスイッチがＯＮになる度に行う。
【００４１】
なお、検出された反射光量ＦＳＭＡＸが、現在設定されている閾値ＤＪＧと、現在設定されている高反射率タイプの許容幅下限値ＬＭＩＮとの間（グレーゾーン）に位置し、高反射率タイプとしてデータアクセスを試みた結果、データアクセスができない場合、上記と同様（適宜読み替える。また図２中、Ｓ１１，１５において括弧内の処理を行う）の処理を行う。
【００４２】
（実施の形態２）
実施の形態２にかかる光ディスク再生装置は、実施の形態１にかかる光ディスク再生装置における許容幅補正手段と閾値補正手段との処理が異なっているものを例示しており、他の構成は実施の形態１と同一であるため、かかる構成の詳細な説明は省略する。
【００４３】
実施の形態２にかかる光ディスク再生装置における光ディスク判定手段は、許容幅補正手段と、閾値補正手段とを備えて構成されている。
【００４４】
許容幅補正手段は、光ディスク判定手段で判定されたディスクタイプに従ってデータアクセスさせた光ディスクがデータアクセスエラーした際に、再トライ手段がデータアクセスさせたディスクタイプと異なる他のディスクタイプに基づいてデータアクセスを試み、その結果、正常にデータアクセスされた場合、再トライ手段から送信されたデータアクセス成功の信号を受け取り、誤判定となった際の反射光量ＦＳＭＡＸに基づいて正常にデータアクセスされた側のディスクタイプを判定する許容幅と、誤判定側の許容幅自体とを補正するようになっている。
【００４５】
すなわち、例えば、高反射率タイプの光ディスクであるにもかかわらず、その反射光量ＦＳＭＡＸが、低反射率タイプとの誤判定となった場合は、その反射光量ＦＳＭＡＸを高反射率タイプの新たな許容幅下限値ＨＭＩＮとして補正し、加えて、その補正値分、高反射率タイプの許容幅上限値ＨＭＡＸと、低反射率タイプの許容幅自体とを下方へ補正するようになっている（図３参照）。
【００４６】
また、その逆に、低反射率タイプの光ディスクであるにもかかわらず、その反射光量ＦＳＭＡＸが、高反射率タイプとの誤判定となった場合は、その反射光量ＦＳＭＡＸを低反射率タイプの新たな許容幅上限値ＬＭＡＸとして補正し、加えて、その補正値分、低反射率タイプの許容幅下限値ＬＭＩＮと、高反射率タイプの許容幅自体とを上方へ補正するようになっている。
【００４７】
この許容幅補正手段によって補正された夫々の許容幅は、逐次メモリーに記録されて更新され、光ディスク再生装置に光ディスクが挿入される度に、または、光ディスクが挿入された状態で光ディスク再生装置のスイッチがＯＮになる度に、記録されたメモリー内の許容幅情報を読み出すようになっている。
【００４８】
閾値補正手段は、許容幅補正手段で補正された夫々の新たな許容幅に基づいて、閾値ＤＪＧを補正するようになっている。
【００４９】
すなわち、高反射率タイプの光ディスクであるにもかかわらず、低反射率タイプとの誤判定となった反射光量ＦＳＭＡＸの場合は、許容幅補正手段によって補正された高反射率タイプの許容幅の新たな許容幅下限値ＨＭＩＮと、下方へ補正した低反射率タイプの許容幅上限値ＬＭＡＸとの中間値を算出し、その中間値を新たな閾値ＤＪＧとして補正するようになっている（図３参照）。
【００５０】
同様に、低反射率タイプの光ディスクであるにもかかわらず、高反射率タイプとの誤判定となった反射光量ＦＳＭＡＸの場合は、許容幅補正手段によって補正された低反射率タイプの新たな許容幅上限値ＬＭＡＸと、上方へ補正した高反射率タイプの許容幅下限値ＨＭＩＮとの中間値を算出し、その中間値を新たな閾値ＤＪＧとして補正するようになっている。
【００５１】
この閾値補正手段によって補正された閾値ＤＪＧは、逐次メモリーに記録されて更新され、光ディスク再生装置に光ディスクが挿入される度に、または、光ディスクが挿入された状態で光ディスク再生装置のスイッチがＯＮになる度に、記録されたメモリー内の閾値情報を読み出すようになっている。
【００５２】
次に、以上のように構成された実施の形態２にかかる光ディスク再生装置の一連の処理手順を図  のフローチャートを用いて説明する。
【００５３】
まず、光ディスク判定手段は、検出された反射光量ＦＳＭＡＸと、ディスクタイプ毎に設定された反射光量の許容幅、グレーゾーン、閾値ＤＪＧとを比較して、ディスクタイプを判定する。
【００５４】
そして、光ディスク再生装置は、その判定されたディスクタイプに基づいてデータのアクセスをする。このとき、正常にデータアクセスができれば、一連の処理は終了するが、データアクセスに失敗した場合、以下に示す一連の処理を行う。
【００５５】
例えば、検出された反射光量ＦＳＭＡＸが、現在設定されている閾値ＤＪＧと、現在設定されている低反射率タイプの許容幅上限値ＬＭＡＸとの間（グレーゾーン）に位置し、低反射率タイプとしてデータアクセスを試みた結果、データアクセスができない場合、再トライ手段は、高反射率タイプのディスクタイプとしてデータアクセスを試みる（Ｓ２１、Ｓ２２）。
【００５６】
その結果、再トライ手段によっても、データアクセスに失敗した場合（Ｓ２３：ＮＯ）、何れのディスクタイプにも該当しない光ディスクであるか、または、データアクセスできない光ディスクであるため、光ディスク再生装置の表示部などに「メディアに異常があります」などのエラールーチン処理を行って一連の処理を終了する（Ｓ２４）。
【００５７】
再トライ手段によってデータアクセスに成功した場合、再トライ手段は、データアクセス成功の信号を、光ディスク判定手段に送信する。
【００５８】
データアクセス成功の信号を受け取った光ディスク判定手段は、許容幅補正手段で、その反射光量ＦＳＭＡＸを高反射率タイプの新たな許容幅下限値ＨＭＩＮとして補正・更新すると共に、その補正値分、高反射率タイプの許容幅上限値ＨＭＡＸと、低反射率タイプの許容幅自体ＬＭＡＸ−ＬＭＩＮ（全体）とを下方へ補正・更新し、その内容をメモリーに記録する（Ｓ２５）。
なお、図４のＳ２５に示した算出式は、ＨＭＡＸを例にすると、以下のように表されている（ＨＭＩＮ、ＬＭＡＸ、ＬＭＩＮも同様である）。
（補正後の）ＨＭＡＸ←（補正前の）ＨＭＡＸ−（（補正前の）ＨＭＩＮ−（検出された反射光量）ＦＳＭＡＸ）
【００５９】
そして、閾値補正手段で、許容幅補正手段によって補正された新たな許容幅下限値ＨＭＩＮと、低反射率タイプの許容幅上限値ＬＭＡＸとの中間値を算出し、その中間値を新たな閾値ＤＪＧとして補正・更新し、その内容をメモリーに記録する（Ｓ２６）。
【００６０】
この一連の処理は、光ディスク再生装置に光ディスクが挿入される度に、または、光ディスクが挿入された状態で光ディスク再生装置のスイッチがＯＮになる度に行う。
【００６１】
なお、検出された反射光量ＦＳＭＡＸが、現在設定されている閾値ＤＪＧと、現在設定されている高反射率タイプの許容幅下限値ＬＭＩＮとの間（グレーゾーン）に位置し、高反射率タイプとしてデータアクセスを試みた結果、データアクセスができない場合、上記と同様（（適宜読み替える。また図４中Ｓ２１，Ｓ２５において、括弧内の処理を行う）の処理を行う。
【００６２】
このように本実施の形態にかかる光ディスク再生装置は、データアクセスエラーが起きても、再トライ手段で他のディスクタイプに従ってデータアクセスを試み、その結果、正常にデータアクセスされた場合に、誤判定となった際の反射光量ＦＳＭＡＸに基づいて正常にデータアクセスされた側のディスクタイプを判定する許容幅や、誤判定となった側のディスクタイプを判定する許容幅を適宜補正・更新し、加えて、閾値補正手段が閾値ＤＪＧを補正するようになっている。
【００６３】
したがって、仮に、ディスクタイプの判定に誤りがあっても、確実にデータアクセスができるようになっている。さらに、許容幅と閾値ＤＪＧを適宜補正することにより、ディスクタイプの判定に誤りそうな反射光量ＦＳＭＡＸが検出されても、短時間でかつ確実にデータアクセスができる。
【００６４】
仮に、再トライ手段でもデータアクセスできない場合、何れのディスクタイプにも該当しない光ディスクであるか、または、データアクセスできない光ディスクであることがわかる。
【００６５】
以上、本実施の形態にかかる光ディスク再生装置を説明したが、上述した実施の形態は、本発明の好適な実施の形態の一例を示すものであり、本発明はそれに限定されるものではなく、その要旨を逸脱しない範囲内において、種々変形実施が可能である。
【００６６】
例えば、上記した一連の手順による光ディスク判定方法であっても良い。
また、本実施の形態では、検出した反射光量ＦＳＭＡＸがグレーゾーンに位置したケースを例示しているが、検出した（誤判定となった）反射光量ＦＳＭＡＸの位置は特に限定されず、データアクセスができなかった場合、常に他のディスクタイプに従ってデータアクセスを行い、データアクセスが成功した場合に限って許容幅や閾値ＤＪＧを変更・更新する。
【図面の簡単な説明】
【００６７】
【図１】実施の形態１にかかる光ディスク再生装置におけるディスクタイプ判定動作を示す模式図である。
【図２】実施の形態１にかかる光ディスク再生装置におけるディスクタイプ判定手順を示すフローチャートである。
【図３】実施の形態２にかかる光ディスク再生装置におけるディスクタイプ判定動作を示す模式図である。
【図４】実施の形態２にかかる光ディスク再生装置におけるディスクタイプ判定手順を示すフローチャートである。
【符号の説明】
【００６８】
ＦＳＭＡＸ  検出された反射光量
ＤＪＧ      閾値
ＨＭＡＸ    許容幅上限値（高反射率タイプの光ディスク）
ＨＭＩＮ    許容幅下限値（高反射率タイプの光ディスク）
ＬＭＡＸ    許容幅上限値（低反射率タイプの光ディスク）
ＬＭＩＮ    許容幅下限値（低反射率タイプの光ディスク） 
【図１】
0004404809.tif 000002
【図２】
0004404809.tif 000003
【図３】
0004404809.tif 000004
【図４】
0004404809.tif 000005